【手続補正書】
【提出日】平成19年5月10日(2007.5.10)
【手続補正１】
【補正対象書類名】明細書
【補正対象項目名】特許請求の範囲
【補正方法】変更
【補正の内容】
【特許請求の範囲】
【特許請求の範囲】
【請求項１】  周波数スペクトル内の複数のタイムスロットを使用して通信する方法であって、
第１及び第２通信ユニット間で、前記複数のタイムスロット群（２１１、２１２）とそれに関係するホッピングキャリヤ周波数群とを有する周波数ホッピングトラフィックチャネル（４１０ｃ）を確立する工程と、
前記第１及び第２通信ユニット（５１０ａ）間で、自身に関係する周波数スペクトル（５１０）内の位置を有する定常ＨＳトラフィックチャネルを確立する工程とを備え、
前記周波数ホッピングトラフィックチャネルの同期を維持しながら、最大数のタイムスロットを前記定常ＨＳトラフィックチャネルに割り当てる
ことを特徴とする方法。
【請求項２】  １〜３Ｍｂ／ｓのレートで前記周波数ホッピングトラフィックチャネルを介して、１つ以上の前記複数のタイムスロット群で１つ以上の第１データパケットを前記第１通信ユニットから前記第２通信ユニットへ通信する工程と
を更に備えることを特徴とする請求項１に記載の方法。
【請求項３】  ５Ｍｂ／ｓを越えるレートで前記定常トラフィックチャネルを介して、１つ以上の前記複数のタイムスロット群で１つ以上の第１データパケットを前記第１通信ユニットから前記第２通信ユニットへ通信する工程と
を更に備えることを特徴とする請求項１に記載の方法。
【請求項４】  前記周波数ホッピングトラフィックチャネル上で品質測定を実行する工程と、
前記品質測定に従って前記定常トラフィックチャネルの位置を確立する工程と
を更に備えることを特徴とする請求項１に記載の方法。
【請求項５】  前記割り当てる工程は、更に、
前記品質測定が変更されたかを判定する工程と、
前記品質測定の変更に従って前記定常トラフィックチャネルの位置を適応させる工程とを含む
ことを特徴とする請求項４に記載の方法。
【請求項６】  前記適応された位置を前記周波数ホッピングトラフィックチャネルで避けられるように該周波数ホッピングトラフィックチャネルを介して、１つ以上の前記複数のタイムスロット群で１つ以上の第１データパケットを前記第１通信ユニットから前記第２通信ユニットへ通信する工程と
を更に備えることを特徴とする請求項５に記載の方法。
【請求項７】  前記位置を確立する工程は、更に、前記周波数ホッピングトラフィックチャネルに関係するホッピングキャリヤ周波数の数を削減する
ことを特徴とする請求項４に記載の方法。
【請求項８】  前記第１通信ユニットはマスタ通信ユニットであり、前記第２通信ユニットはスレーブ通信ユニットであり、更に、前記周波数ホッピングトラフィックチャネル及び前記定常トラフィックチャネル間の前記マスタ通信ユニットの制御の下、前記スレーブ通信ユニットへ多重通信する工程とを備える
ことを特徴とする請求項１に記載の方法。
【請求項９】  前記第１、第２及び第３通信ユニット間で前記周波数ホッピングトラフィックチャネルを確立する工程と、
前記第２及び第３通信ユニット間で前記定常トラフィックチャネルを確立する工程とを更に備え、
前記周波数ホッピングトラフィックチャネルは前記定常トラフィックチャネルの位置を避ける
ことを特徴とする請求項１に記載の方法。
【請求項１０】  前記第１通信ユニットはマスタ通信ユニットであり、
前記第２及び第３通信ユニットはスレーブ通信ユニットであり、
更に、前記周波数ホッピングトラフィックチャネルを介して、前記マスタ通信ユニットから１つ以上の前記スレーブ通信ユニットへ、前記定常トラフィックチャネルを解放し、かつ前記周波数ホッピングトラフィックチャネルへ復帰することを前記１つ以上のスレーブ通信ユニットに対し指示するビーコンパケットを定期的に送信する工程とを備える
ことを特徴とする請求項９に記載の方法。
【請求項１１】  第１周波数帯域上で前記周波数ホッピングトラフィックチャネルを確立する工程と、
前記第１周波数帯域とは異なる第２周波数帯域上で前記定常トラフィックチャネルを確立する工程と
を更に備えることを特徴とする請求項１に記載の方法。
【請求項１２】  第１周波数帯域上で前記周波数ホッピングトラフィックチャネルを確立する工程と、
前記第１周波数帯域と重複しない第２周波数帯域上で前記定常トラフィックチャネルを確立する工程と
を更に備えることを特徴とする請求項１に記載の方法。
【請求項１３】  周波数スペクトル内の複数のタイムスロットを使用して通信する装置であって、
第２通信ユニット（１５０）に接続されている第１通信ユニット（１２０）を備え、
前記第１通信ユニットは、
前記第１及び第２通信ユニット間の、自身に関係する前記複数のタイムスロット群（２１１、２１２）とを有する周波数ホッピングトラフィックチャネル（４１０ｃ）を確立し、
前記第１及び第２通信ユニット（５１０ａ）間の、自身に関係する周波数スペクトル内の位置（５１０）を有する定常ＨＳトラフィックチャネルを確立する、
ように構成され、
前記周波数ホッピングトラフィックチャネルの同期を維持しながら、最大数のタイムスロットを前記定常ＨＳトラフィックチャネルに割り当てる
ことを特徴とする装置。
【請求項１４】  前記第１通信ユニットは、更に、１〜３Ｍｂ／ｓのレートで前記周波数ホッピングトラフィックチャネルを介して、１つ以上の前記複数のタイムスロット群で１つ以上の第１データパケットを当該第１通信ユニットから前記第２通信ユニットへ通信するように構成されている
ことを特徴とする請求項１３に記載の装置。
【請求項１５】  前記第１通信ユニットは、更に、５Ｍｂ／ｓを越えるレートで前記定常トラフィックチャネルを介して、１つ以上の前記複数のタイムスロット群で１つ以上の第１データパケットを当該第１通信ユニットから前記第２通信ユニットへ通信するように構成されている
ことを特徴とする請求項１３に記載の装置。
【請求項１６】  前記第１通信ユニットは、更に、
前記周波数ホッピングトラフィックチャネル上で品質測定を実行し、
前記品質測定に従って前記定常トラフィックチャネルの位置を確立する
ように構成されている
ことを特徴とする請求項１３に記載の装置。
【請求項１７】  前記第１通信ユニットは、更に、
前記品質測定が変更されたかを判定し、
前記品質測定の変更に従って前記定常トラフィックチャネルの位置を適応させる
ように構成されている
ことを特徴とする請求項１６に記載の装置。
【請求項１８】  前記第１通信ユニットは、更に、前記定常トラフィックチャネルの適応された位置を前記周波数ホッピングトラフィックチャネルで避けられるように該周波数ホッピングトラフィックチャネルを介して、１つ以上の前記複数のタイムスロット群で１つ以上の第１データパケットを当該第１通信ユニットから前記第２通信ユニットへ通信するように構成されている
ことを特徴とする請求項１７に記載の装置。
【請求項１９】  前記第１通信ユニットは、更に、前記複数のタイムスロット群に関係するタイムスロットの数を削減するように構成されている
ことを特徴とする請求項１６に記載の装置。
【請求項２０】  前記第１通信ユニットはマスタ通信ユニットであり、前記第２通信ユニットはスレーブ通信ユニットであり、更に、前記マスタ通信ユニットは、前記周波数ホッピングトラフィックチャネル及び前記定常トラフィックチャネル間で、前記スレーブ通信ユニットと多重通信するように構成されている
ことを特徴とする請求項１３に記載の装置。
【請求項２１】  前記第１通信ユニットは、更に、
前記第１、第２及び第３通信ユニット間で前記周波数ホッピングトラフィックチャネルを確立し、
前記第２及び第３通信ユニット間の前記定常トラフィックチャネルを確立するように構成され、
前記周波数ホッピングトラフィックチャネルは前記定常トラフィックチャネルの位置を避ける
ことを特徴とする請求項１３に記載の装置。
【請求項２２】  前記第１通信ユニットはマスタ通信ユニットであり、
前記第２及び第３通信ユニットはスレーブ通信ユニットであり、
前記第１通信ユニットは、更に、前記周波数ホッピングトラフィックチャネルを介して、前記マスタから１つ以上の前記スレーブ通信ユニットへ、前記定常トラフィックチャネルを解放し、かつ前記周波数ホッピングトラフィックチャネルへ復帰することを前記１つ以上のスレーブ通信ユニットに対し指示するビーコンパケットを送信するように構成されている
ことを特徴とする請求項２１に記載の装置。
【請求項２３】  前記第１通信ユニットは、更に、
第１周波数帯域上で前記周波数ホッピングトラフィックチャネルを確立し、
前記第１周波数帯域とは異なる第２周波数帯域上で前記定常トラフィックチャネルを確立する
ように構成されている
ことを特徴とする請求項１３に記載の装置。
【請求項２４】  前記第１通信ユニットは、更に、
第１周波数帯域上で前記周波数ホッピングトラフィックチャネルを確立し、
前記第１周波数帯域と重複しない第２周波数帯域上で前記定常トラフィックチャネルを確立する
ように構成されている
ことを特徴とする請求項１３に記載の装置。